(57)【要約】【課題】使用者の手に極力フィットするような手袋を製作するために、使用者の手形を好適に判定する、手袋を製作するための手形判定用シート、その手形判定用シートを具備する手形判定用シートセット、並びにその手形判定用シート若しくはシートセットを用いた手形判定方法及び手袋の製作方法を提供することを課題とする。【解決手段】手形判定用シートに、手袋の着用者の手形を判定する上で、手の輪郭線における指先の最先端部である中心部分及び指又の最深部である中心部分を特定するための中心部分特定線を付すことを説明書きとして表示し、或いは人差指の付け根と親指の付け根の中間点及び小指の付け根と手首の付け根の中間点を通過する手の周囲の距離を採寸することを説明書きとして表示したことである。【選択図】    図２
2004360111.tif 000002
【特許請求の範囲】
【請求項１】
手袋の着用者の手形を判定する上で、手の輪郭線における指先の最先端部である中心部分及び指又の最深部である中心部分を特定するための中心部分特定線を付すことを説明書きとして表示してなることを特徴とする手袋を製作するための手形判定用シート。
【請求項２】
手袋の着用者の手形を判定する上で、人差指の付け根と親指の付け根の中間点及び小指の付け根と手首の付け根の中間点を通過する手の周囲の距離を採寸することを説明書きとして表示してなることを特徴とする手袋を製作するための手形判定用シート。
【請求項３】
手袋の着用者の手を載置し、載置された手の輪郭を描くための輪郭作成用シートと、作成された手の輪郭線における指先の最先端部である中心部分及び指又の最深部である中心部分を特定するための中心部分特定線を付すことを説明書きとして表示した説明書きシートとからなることを特徴とする手袋を製作するための手形判定用シートセット。
【請求項４】
手袋の着用者の手を載置し、載置された手の輪郭を描くための輪郭作成用シートと、人差指の付け根と親指の付け根の中間点及び小指の付け根と手首の付け根の中間点を通過する手の周囲の距離を採寸することを説明書きとして表示した説明書きシートとからなることを特徴とする手袋を製作するための手形判定用シートセット。
【請求項５】
手袋の着用者の手を載置し、載置された手の輪郭を描くための輪郭作成用シートと、作成された手の輪郭線における指先の最先端部である中心部分及び指又の最深部である中心部分を特定するための中心部分特定線を付すこと、並びに人差指の付け根と親指の付け根の中間点及び小指の付け根と手首の付け根の中間点を通過する手の周囲の距離を採寸することを説明書きとして表示した説明書きシートとからなることを特徴とする手袋を製作するための手形判定用シートセット。
【請求項６】
作成された手の輪郭線における指先の最先端部である中心部分及び指又の最深部である中心部分を特定するための中心部分特定線を付すこと、並びに人差指の付け根と親指の付け根の中間点及び小指の付け根と手首の付け根の中間点を通過する手の周囲の距離を採寸することを説明書きとして表示した説明書きシートを具備することを特徴とする手袋を製作するための手形判定用シートセット。
【請求項７】
採寸された人差指の付け根と親指の付け根の中間点及び小指の付け根と手首の付け根の中間点を通過する手の周囲の距離をデータとして記入するデータシートをさらに備えた請求項３乃至６のいずれかに記載の手袋を製作するための手形判定用シートセット。
【請求項８】
輪郭作成用シートに手袋の着用者の手を載置し、載置された手の輪郭を描き、作成された手の輪郭線における指先の最先端部である中心部分及び指又の最深部である中心部分を特定するための中心部分特定線を付して、手袋を製作するための手形を判定することを特徴とする手形判定方法。
【請求項９】
輪郭作成用シートに手袋の着用者の手を載置し、載置された手の輪郭を描き、人差指の付け根と親指の付け根の中間点及び小指の付け根と手首の付け根の中間点を通過する手の周囲の距離を採寸して、手袋を製作するための手形を判定することを特徴とする手形判定方法。
【請求項１０】
輪郭作成用シートに手袋の着用者の手を載置し、載置された手の輪郭を描き、作成された手の輪郭線における指先の最先端部である中心部分及び指又の最深部である中心部分を特定するための中心部分特定線を付し、且つ人差指の付け根と親指の付け根の中間点及び小指の付け根と手首の付け根の中間点を通過する手の周囲の距離を採寸して、手袋を製作するための手形を判定することを特徴とする手形判定方法。
【請求項１１】
輪郭作成用シートに手袋の着用者の手を載置し、載置された手の輪郭を描き、作成された手の輪郭線における指先の最先端部である中心部分及び指又の最深部である中心部分を特定するための中心部分特定線を付し、且つ人差指の付け根と親指の付け根の中間点及び小指の付け根と手首の付け根の中間点を通過する手の周囲の距離を採寸し、次に前記輪郭作成用シートに表示された輪郭線及び中心部分特定線に基づいて手袋製作用の手形を作成し、その後、前記採寸された人差指の付け根と親指の付け根の中間点及び小指の付け根と手首の付け根の中間点を通過する手の周囲の距離を考慮しつつ、前記手袋製作用の手形に基づいて手袋製作用の手の甲部分の素地及び手のひら部分の素地を形成するとともに、該手の甲部分の素地及び手のひら部分の素地を合体させて製作することを特徴とする手袋の製作方法。
【発明の詳細な説明】
【０００１】
【発明の属する技術分野】
本発明は、手袋を製作するための手形判定用シート、その手形判定用シートを具備する手形判定用シートセット、並びにその手形判定用シート若しくはシートセットを用いた手形判定方法及び手袋の製作方法、特にゴルフ用手袋を着用者の手にフィットさせるように、オーダーメイドの手袋を製作する目的で、着用者の手形を判定するためのシート及びシートセット、並びにそのシート、シートセットを用いて手形を判定する方法及び手袋を製作する方法に関するものである。
【０００２】
【従来の技術】
従来より、ゴルフ用手袋としては種々のものが開発され、市販されているが、いずれも企画寸法に製作された既製品のものがスポーツ用品店やスーパー等で販売され、消費者は自身の手に極力フィットする手袋を選別して購入しているのが実情である。
【０００３】
ところで、このようなゴルフ用手袋は、一般の手袋と異なり、実質的にクラブのグリップを握持せず単に添えるだけの右手には着用されず（着用者が右利きの場合）、クラブのグリップを握持する左手のみに着用されるという特殊性がある。
【０００４】
しかし、ドライバーやスプーン等のウッドクラブ、或いは３番、５番、７番等のアイアンクラブのように、汎用されるクラブをスウィングする場合には左手の手の平にはクラブのグリップ部分と接触する際の摩擦力がかかり、またゴルフクラブのグリップ部分はテニスのラケットや野球のバットに比べると細くて硬い。このため素手でグリップして上記のウッドクラブやアイアンクラブを何度もスウィングすると、手の皮がむける等の損傷が生ずるので、テニスのラケットや野球のバットのように素手でグリップしてスウィングする操作を何度も行うことは困難である。
【０００５】
従って、手袋がゴルフを行う上での必需品であることはいうまでもないが、ゴルフ手袋の重要性はそれにとどまるものでなない。すなわち左手のグリップの技術は重要度が高く、またテークバックからフォロースルーに至る一連のスウィング動作にも影響を及ぼすので、手袋が着用者の手にフィットしているか否かは技術向上の面からも非常に重要な問題である。
【０００６】
一方、パタークラブを使用する場合には、他のクラブを用いる場合のようにクラブのグリップ部分と接触する際の摩擦力が手にさほどかからず、その反面、クラブに接触する手の感触が、パタークラブでプレーする際の打球の強さやコースに微妙に影響し、万一手袋が着用者の手にフィットしていなければプレーする上で致命的となる場合もある。
【０００７】
このため、上級者、特にプロゴルファー等は、パタークラブを使用する場合には手袋を外してグリップを行うのが一般的となっている。このことは、パタークラブを使用する場合には究極的には手とクラブとの一体感が要求されることを意味するものであるが、初心者や経験の浅いプレーヤー、技術の未熟なプレーヤー等にとってはもちろんのこと、プロゴルファーをはじめとする上級者に至らない多くの一般プレーヤーにとっては、わざわざ手袋を外さなくとも、手袋が着用者の手にフィットしていることが、ひいてはパタープレーの技術向上に寄与することは疑う余地がない。
【０００８】
【発明が解決しようとする課題】
上述のように、手袋が着用者の手にフィットしていることはゴルフをプレーする上での種々の技術に重要な影響を及ぼすものであるが、現実には一般に販売されている既製品の手袋の中で、使用者が自身の手にフィットする手袋を探索し、選別するのは容易ではない。従って、一般のプレーヤーの場合には、妥協的に選択して手袋を購入しているのが現状である。
【０００９】
本発明は、このような問題点を解決するためになされたもので、使用者の手に極力フィットするような手袋を製作するために、使用者の手形を好適に判定することを可能ならしめることを課題とする。
【００１０】
【課題を解決するための手段】
本発明は、このような課題を解決するために、手袋を製作するための手形判定用シート、その手形判定用シートを具備する手形判定用シートセット、並びにその手形判定用シート若しくはシートセットを用いた手形判定方法及び手袋の製作方法としてなされたもので、手形判定用シートとしての特徴は、手袋の着用者の手形を判定する上で、手の輪郭線における指先の最先端部である中心部分及び指又の最深部である中心部分を特定するための中心部分特定線を付すことを説明書きとして表示してなることである。
【００１１】
また他の手形判定用シートとしての特徴は、手袋の着用者の手形を判定する上で、人差指の付け根と親指の付け根の中間点及び小指の付け根と手首の付け根の中間点を通過する手の周囲の距離を採寸することを説明書きとして表示してなることである。
【００１２】
さらに他の手形判定用シートとしての特徴は、手袋の着用者の手を載置し、載置された手の輪郭を描くための輪郭作成用シートと、作成された手の輪郭線における指先の最先端部である中心部分及び指又の最深部である中心部分を特定するための中心部分特定線を付すことを説明書きとして表示した説明書きシートとからなることである。
【００１３】
また、手形判定用シートセットとしての特徴は、手袋の着用者の手を載置し、載置された手の輪郭を描くための輪郭作成用シートと、人差指の付け根と親指の付け根の中間点及び小指の付け根と手首の付け根の中間点を通過する手の周囲の距離を採寸することを説明書きとして表示した説明書きシートとからなることである。
【００１４】
さらに、他の手形判定用シートセットとしての特徴は、手袋の着用者の手を載置し、載置された手の輪郭を描くための輪郭作成用シートと、作成された手の輪郭線における指先の最先端部である中心部分及び指又の最深部である中心部分を特定するための中心部分特定線を付すこと、並びに人差指の付け根と親指の付け根の中間点及び小指の付け根と手首の付け根の中間点を通過する手の周囲の距離を採寸することを説明書きとして表示した説明書きシートとで、手形判定用シートセットを構成することである。
【００１５】
さらに、他の手形判定用シートセットとしての特徴は、手袋の着用者の手を載置し、載置された手の輪郭を描くための輪郭作成用シートと、作成された手の輪郭線における指先の最先端部である中心部分及び指又の最深部である中心部分を特定するための中心部分特定線を付すこと、並びに人差指の付け根と親指の付け根の中間点及び小指の付け根と手首の付け根の中間点を通過する手の周囲の距離を採寸することを説明書きとして表示した説明書きシートとで、手形判定用シートセットを構成することである。
【００１６】
さらに、他の手形判定用シートセットとしての特徴は、作成された手の輪郭線における指先の最先端部である中心部分及び指又の最深部である中心部分を特定するための中心部分特定線を付すこと、並びに人差指の付け根と親指の付け根の中間点及び小指の付け根と手首の付け根の中間点を通過する手の周囲の距離を採寸することを説明書きとして表示した説明書きシートを、手形判定用シートセットに具備させることである。
【００１７】
上記採寸された人差指の付け根と親指の付け根の中間点及び小指の付け根と手首の付け根の中間点を通過する手の周囲の距離をデータとして記入するデータシートを、上記輪郭作製用シートや説明書きシートの他に具備させることも可能である。
【００１８】
さらに手形判定方法としての特徴は、輪郭作成用シートに手袋の着用者の手を載置し、載置された手の輪郭を描き、作成された手の輪郭線における指先の最先端部である中心部分及び指又の最深部である中心部分を特定するための中心部分特定線を付して、手袋を製作するための手形を判定することである。
【００１９】
また他の手形判定方法としての特徴は、輪郭作成用シートに手袋の着用者の手を載置し、載置された手の輪郭を描き、人差指の付け根と親指の付け根の中間点及び小指の付け根と手首の付け根の中間点を通過する手の周囲の距離を採寸して、手袋を製作するための手形を判定することである。
【００２０】
さらに他の手形判定方法としての特徴は、輪郭作成用シートに手袋の着用者の手を載置し、載置された手の輪郭を描き、作成された手の輪郭線における指先の最先端部である中心部分及び指又の最深部である中心部分を特定するための中心部分特定線を付し、且つ人差指の付け根と親指の付け根の中間点及び小指の付け根と手首の付け根の中間点を通過する手の周囲の距離を採寸して、手袋を製作するための手形を判定することである。
【００２１】
さらに手袋の製作方法としての特徴は、輪郭作成用シートに手袋の着用者の手を載置し、載置された手の輪郭を描き、作成された手の輪郭線における指先の最先端部である中心部分及び指又の最深部である中心部分を特定するための中心部分特定線を付し、且つ人差指の付け根と親指の付け根の中間点及び小指の付け根と手首の付け根の中間点を通過する手の周囲の距離を採寸し、次に前記輪郭作成用シートに表示された輪郭線及び中心部分特定線に基づいて手袋製作用の手形を作成し、その後、前記採寸された人差指の付け根と親指の付け根の中間点及び小指の付け根と手首の付け根の中間点を通過する手の周囲の距離を考慮しつつ、前記手袋製作用の手形に基づいて手袋製作用の手の甲部分の素地及び手のひら部分の素地を形成するとともに、該手の甲部分の素地及び手のひら部分の素地を合体させて製作することである。
【００２２】
【発明の実施の形態】
以下、本発明の実施形態について、図面に従って説明する。
【００２３】
（実施形態１）
一実施形態としての手形判定用シートセットは、輪郭作成用シート１と、説明書きシート２と、データシート３と、メジャー添付シート４との計４枚のシートからなるものである。これら４枚のシートは、すべて紙製のものである。
【００２４】
輪郭作成用シート１には、図１に示すように、左手を載置するおよその位置を特定する輪郭線５が点線で表示され、さらに該輪郭線５の右下側下部には、各指の位置を特定するための説明書用の輪郭線６が実線で表示されている。この輪郭線６には、５本の指の指先の最先端部である中心部分と、それらの指先間の４箇所の指又の最深部である中心部分とが特定できるように、水平線７と垂直線８とからなる中心部分特定線９が表示されている。
【００２５】
そして、使用者は、この説明書用の輪郭線６に表示された中心部分特定線９を参考にして、前記輪郭線５に自身の手を載置して水平線と垂直線とからなる中心部分特定線を表示することになる。
【００２６】
また、図示しないが、上記輪郭線５に沿って使用者の手の輪郭を表示する方法を説明する説明文が表示されている。具体的には、「輪郭線５に極力沿うように輪郭作成用シート１上に手を載置すること、筆記具を垂直に立てて手の輪郭に沿って線を描くこと、前記説明書用の小輪郭線５や中心部分特定線９を参考にして自身の指の水平線と垂直線とからなる中心部分特定線を描くこと」等が記載されている。
【００２７】
さらに、前記輪郭線５の上部には、製作業者がオーダーメイドとして製作する予定の手袋の品番を記入する品番記入欄１０と、その手袋を着用する消費者の顧客管理番号記入欄１１とが設けられている。
【００２８】
説明書きシート２には、図２に示すように、採寸の方法を表示する採寸方法説明表示部１２が設けられており、さらにその採寸方法説明表示部１２の下側には、輪郭線記載方法説明表示部１３が設けられている。
【００２９】
採寸方法説明表示部１２には、図３に示すように、人差指の親指側の付け根と親指の人差指側の付け根との中間点Ａと、小指の外側の付け根と手首の外側の付け根との中間点Ｂを通過する手の周囲を結んだラインを測定することが、手の表示部１４とともに記載されている。
【００３０】
また、輪郭線記載方法説明表示部１３には、図４に示すように、「筆記具を垂直に立てて手の付け根から付け根までをできるだけ正確になぞること」が、表示部１５とともに表示されている。そして、その表示部１５の下側には、前記輪郭作成用シート１に表示された説明書用の輪郭線６と同様の説明書用の輪郭線１６が表示されている。そして、５本の指の指先の中心部分と、それらの指先間の４箇所の指又の中心部分とが特定できるように、水平線１７と垂直線１８とからなる中心部分特定線１９が表示されている。
【００３１】
また、採寸方法説明表示部１２と輪郭線記載方法説明表示部１３とのそれぞれ左側には、説明文表示欄２０、２１がそれぞれ設けられている。
【００３２】
データシート３は、顧客自身が必要なデータを記載するためのシートであり、そのデータシート３には、図５に示すように、主要なデータを記入する手のデータ記入部２２と、色の種別を記入する注文内容記入部２３と、手袋に入れるネームを記入するネーム記入部２４と、顧客の住所・氏名を記入する住所・氏名記入部２５とが設けられている。また顧客ではなく業者側が記入する業者記入部２６も設けられている。
【００３３】
手のデータ記入部２２には、さらに、現在使用している手袋のサイズを記入する手袋サイズ記入欄２７と、前記採寸方法説明表示部１２で表示されていた説明に基づいて測定された、人差指の親指側の付け根と親指の人差指側の付け根との中間点Ａと、小指の外側の付け根と手首の外側の付け根との中間点Ｂを通過する手の周囲を結んだラインの寸法（手のひら回りのサイズ）を記入する手のひら回りサイズ記入欄２８と、指の太さを記入する指の太さ記入欄２９と、手の甲の厚さを記入する手の甲厚さ記入欄３０と、好みのフィット感を記入する好みのフィット感記入欄３１とが設けられている。
【００３４】
手のデータ記入部２２と手袋サイズ記入欄２７とには、数値のみが記入され、
指の太さ記入欄２９には、太，中，細の３種の文字が○で囲めるように表示されており、手の甲厚さ記入欄３０には、厚，中，薄の３種の文字が○で囲めるように表示されており、好みのフィット感記入欄３１には、「きつめ」及び「ゆったり」の２種の文字が○で囲めるように表示されている。
【００３５】
また、注文内容記入部には、白（ホワイト）と黒（ブラック）の手袋の２種の色のそれぞれの注文枚数２３を記入する注文枚数記入欄３２、３３が設けられている。
【００３６】
さらに、住所・氏名記入部２５には、住所記入欄３４、氏名記入欄３５、電話番号記入欄３６、年齢記入欄３７、性別記入欄３８、及びゴルフ歴記入欄３９がそれぞれ設けられている。
【００３７】
さらに、業者記入部２６には、品番記入欄４０と、顧客管理番号記入欄４１とが設けられている。
【００３８】
メジャー添付シート４には、メジャー４２が具備されており、メジャー添付シート４から切り取ることによって、前記採寸方法説明表示部１２に記載されている人差指の親指側の付け根と親指の人差指側の付け根との中間点Ａと、小指の外側の付け根と手首の外側の付け根との中間点Ｂを通過する手の周囲を結んだラインを測定するために使用できるようにされている。
【００３９】
また、メジャー４２の右側には、宣伝広告説明文表示欄４３と、手袋イメージ表示欄４４が設けられている。
【００４０】
次に、上記のような輪郭作成用シート１と、説明書きシート２と、データシート３と、メジャー添付シート４との計４枚のシートからなる手形判定用シートセットを使用する場合について説明する。
【００４１】
このような手形判定用シートセットの使用の一例としては、このような４組のシートからなるシートセットをオーダーメイドによる手袋の製作や販売を行う業者が作成し、返信用封筒等を同封した往信用封筒に収容して顧客に郵送する。
【００４２】
これを受信した消費者（顧客）は、往信用封筒を開封した後、各シートを取り出し、先ず輪郭作成用シート１に消費者の手を輪郭線５に極力沿うように載置する。この場合、輪郭線５はあくまで一例としての手形であるため、消費者の手形と一致するわけではないが、消費者の手を載置するおよその位置を特定するために有用となる。
【００４３】
次に、載置された手の輪郭に沿って筆記具で輪郭線を描く。この場合、説明書きシート２の輪郭線記載方法説明表示部１３の説明書きにも記載されているように、筆記具（鉛筆）は垂直に立て、手の付け根から付け根までをできるだけ正確になぞるようにして描く。筆記具を垂直に立てて描くことにより、手の輪郭に最も沿った線が描かれることとなる。ここで、使用する筆記具は、直径が芯材に対して過度に太くないものを用いるのが好ましい。過度に太い筆記具を用いると、手の形を正確に垂直に投影して輪郭を写し取ることが困難であるためである。
【００４４】
次に、手の５本の指の指先の最先端部と、各指間の指又の最深部のそれぞれの中心部分を特定するために、中心部分特定線を表示する。この中心部分特定線は、輪郭作成用シート１に表示された説明書用の輪郭線６、及び水平線７と垂直線８とからなる中心部分特定線９の表示に基づいて描くこともできるが、説明書きシート２の輪郭線記載方法説明表示部１３に表示された水平線１７と垂直線１８とからなる中心部分特定線１９に基づいてより容易に行うことができる。
【００４５】
すなわち、手の輪郭線を描き終わった状態で、描かれた輪郭線の５本指の指先の中心と認められる部分に、前記水平線１７の表示を参考にして水平線を描く。この場合、水平線を描く方向を特定するのは必ずしも容易ではないが、指先の円弧に対して正確に接線を描くように、且つ指の方向と極力直交するように描くことで、比較的妥当な水平線を描くことができる。
【００４６】
次に、この水平線に対して直交するように垂直線を描く。この場合も、前記輪郭線記載方法説明表示部１３に表示された垂直線１８を参考にして、指先の円弧に対して正確に法線を描くように、且つ前記水平線に極力直角となるように描く。
【００４７】
このように描かれた水平線と垂直線によって中心部分特定線が形成されることとなり、その水平線と垂直線との交点が指先の中心部分として特定されることとなるのである。
【００４８】
同様にして、描かれた輪郭線の５本の指間の指又部分にも水平線と垂直線とを描き、その水平線と垂直線とによって中心部分特定線を形成する。
【００４９】
この場合も、指又の円弧に対して正確に接線を描くことで比較的妥当な水平線を描くことができ、指又の円弧に対して正確に法線を描くことで比較的妥当な垂直線を描くことができる。このようにして、水平線と垂直線との交点が指先の最深部としての中心部分として特定されることとなる。
【００５０】
以上のようにして、指先と指又の中心部分がすべて特定されることになる。
【００５１】
次に、説明書きシート２の採寸方法説明表示部１２の表示に基づいて、使用者自身の人差指の親指側の付け根と親指の人差指側の付け根との中間点Ａと、小指の外側の付け根と手首の外側の付け根との中間点Ｂを通過する手の周囲を結んだラインを測定する。
【００５２】
この場合、前記メジャー添付シート４に具備されたメジャー４２を切り取り、前記人差指の親指側の付け根と親指の人差指側の付け根との中間点Ａと、小指の外側の付け根と手首の外側の付け根との中間点Ｂを通過する手の周囲を結ぶように、メジャー４２を使用者の手に当て、その寸法を測定する。
【００５３】
この場合、メジャー４２には一般の定規や物差しと同様の寸法の目盛りが付されているため、しかもメジャー４２自体が紙製であるため、手に巻き付けた際に厚み方向の手の輪郭にも容易に沿わせることができ、従って人差指の親指側の付け根と親指の人差指側の付け根との中間点Ａと、小指の外側の付け根と手首の外側の付け根との中間点Ｂを通過する手の周囲を結んだラインの寸法を正確に測定することができるのである。
【００５４】
そして、このようにして測定した人差指の親指側の付け根と親指の人差指側の付け根との中間点Ａと、小指の外側の付け根と手首の外側の付け根との中間点Ｂを通過する手の周囲を結んだラインの寸法は、前記データシート３のデータ記入部２２における手のひら回りサイズ記入欄２８に記入する。
【００５５】
このように最も重要なデータである前記中間点Ａと中間点Ｂを通過する手の周囲を結んだラインの寸法を手のひら回りサイズ記入欄２８に記入した後、手袋サイズ記入欄２７に現在使用している手袋のサイズを記入する。また、使用者の指の太さに応じて指の太さ記入欄２９の太，中，細のいずれかの文字を○で囲み、使用者の手の甲の厚さに応じて、手の甲厚さ記入欄３０の厚，中，薄のいずれかの文字を○で囲み、さらに、好みのフィット感記入欄３１の「きつめ」及び「ゆったり」のいずれかを○で囲む。
【００５６】
この場合、指の太さや手の甲の厚さは、使用者自身で判断して主観的に記入する。
【００５７】
また、注文内容記入部２３の注文枚数記入欄３２、３３には、白黒の手袋の２種の注文枚数を記入し、ネーム記入部２４に使用者のネームを記入する。
さらに住所記入欄３４、氏名記入欄３５、電話番号記入欄３６、年齢記入欄３７、性別記入欄３８、及びゴルフ歴記入欄３９にそれぞれの項目を記入する。
【００５８】
以上のようにして手の輪郭を描き、且つ水平線と垂直線からなる中心部分特定線により５本の指の指先とそれらの指間の指又の中心部分を特定した輪郭作成用シート１と、中間点Ａと中間点Ｂを通過する手の周囲を採寸して手のひら回りサイズを記入するとともに、その他の情報を記入したデータシート３との２枚のシートを、返信用封筒に封入する。
【００５９】
この場合、後述するように、輪郭作成用シート１とデータシート３とに表示、記入すべき種々の事項を、１枚のシートの表裏に記入することも可能であり、別々の２枚のシートを返送するよりも便利となる可能性もある。
【００６０】
一方、このように輪郭作成用シート１とデータシート３とを封入して返信された封筒を受信した送信者である業者は、先ず輪郭作成用シート１の品番記入欄１０及び顧客管理番号記入欄１１にそれぞれ商品の品番と顧客管理番号を記入し、データシート３の業者記入部２６の品番記入欄４０と顧客管理番号記入欄４１とにも品番と顧客管理番号を記入する。この場合、輪郭作成用シート１とデータシート３とには、同じ番号の品番と顧客管理番号が記入されることとなる。
【００６１】
これによって、輪郭作成用シート１とデータシート３とが１対となって、
どの顧客のものであるか、どの品番の商品を注文したかを容易に管理することができる。また、他の顧客のものと紛れても、同じ顧客の輪郭作成用シート１とデータシート３とを容易に照合することができる。
【００６２】
次に、送信者である業者は、受信者である顧客によって輪郭作成用シート１に表示された情報、及びデータシート３に表示された情報に基づいて手袋を製作する。
【００６３】
具体的には、輪郭作成用シート１に表示された輪郭線に基づいて描かれた顧客の手形の輪郭線や、その輪郭線の指先及び指又に付された水平線及び垂直線からなる中心部分特定線によって、さらにはデータシート３に表示された、人差指の付け根と親指の付け根との中間点Ａと小指の付け根と手首の付け根との中間点Ｂを通過する手の周囲の寸法（手のひら回りのサイズ）によって、顧客の手形やサイズを特定する。
【００６４】
このようにして輪郭作成用シート１及びデータシート３から得られた顧客の手形やサイズの情報に基づいて顧客の手にフィットする手袋を作成するのであるが、これらのシートは紙製のものであるので、このシートから直接手袋を製作することはできない。
【００６５】
従って、その前段階として、先ず上記輪郭作成用シート１及びデータシート３に表示された情報に基づいてプラスチック製の手形を作成する。このプラスチック製の手形は、基本的には上記輪郭作成用シート１に表示された顧客の手形の輪郭線に合致させながら、予め準備されたプラスチック製シートを刃物等で裁断することによって製作するのであるが、上記輪郭作成用シート１に表示された手形の輪郭線は、垂直に筆記具を立てて描かれているので比較的正確が期されているとはいえ、顧客自身が描いたものであるため、実際の手の輪郭とはどうしても誤差が生ずることとなる。
【００６６】
そこで、このような顧客自身が描いた輪郭線の誤差を補填するために、上記のような中心部分特定線が利用されることとなる。すなわち、この中心部分特定線は、上述のように指先の先端や指又の底部における円弧線に対して接線となるような水平線と、該円弧線に対して法線となるような垂直線とで構成され、この水平線と垂直線との交点が指先及び指又の頂点として、点座標的に特定されることになる。
【００６７】
このように５箇所の指先及び４箇所の指又の計９箇所の点の位置が特定されることで、顧客のおよその手形及びサイズが特定されることになる。
換言すれば、ヒトの手の輪郭線は、個人差による相違があるものの、その
個人差による相違は、手袋がフィットしているか否かに大きく影響する程のものではない。従って、仮に上記のように顧客自身によって描かれた輪郭線と実際の顧客の手形との間に誤差があったとしても、手袋着用時に大きな違和感を感ずるわけではない。
【００６８】
これに対して、指先や指又の位置においては、実際に手袋を着用した場合に、その指先や指又の位置における手袋と手との間に、寸法誤差もしくは遊び部分としての空間、隙間を体感することが経験上認められている。
特に、着用者の手に合致していない手袋を着用した場合には、指先や指又に大きな間隙や不用意な圧迫感を感じることはだれしも経験するところであり、このような状態はゴルフ用手袋の場合には致命的でむしろ手袋を着用することがプレーする上でのマイナス要因となる。また、指先や指又に大きな間隙や不用意な圧迫感を感じる場合は、手と手袋の指先や指又の位置がずれていることになるので、結果として手の全体の輪郭と手袋の全体の輪郭に位置ずれが生じていることになり、ひいてはこのことが手に違和感や不当な圧迫感を感じさせる場合が多い。
【００６９】
この点、指先や指又において手と手袋との間に大きな寸法間隙や不用意な圧迫感がない場合には、手の全体の輪郭と手袋全体の輪郭との間に位置ずれが生じる可能性が少ない。
このような理由から、上記のように５箇所の指先及び４箇所の指又の計９箇所の位置が、水平線と垂直線からなる中心部分特定線によって点座標的に特定されることで、輪郭作成用シート１に顧客自身によって描かれた輪郭線全体と、実際の手の輪郭全体との間に上下方向及び左右方向への位置ずれがほとんど生じることがなく、従って顧客自身によって描かれた輪郭線と実際の手の輪郭との間に多少の誤差があったとしても、手袋着用時において着用者はほとんど違和感や圧迫感を感ずることがないのである。
【００７０】
上述のようにして、５箇所の指先及び４箇所の指又の計９箇所の点の位置を重視しつつ、輪郭作成用シート１に描かれた輪郭線に沿ってプラスチックシートが裁断されて、プラスチック製の手形が製作されることになる。
【００７１】
尚、このプラスチック製の手形は、製作される手袋の型として直接的に利用されるものであり、平面的な型取りのみでは不十分となるおそれがあることから、手の平の部分と手の甲の部分との２枚が準備されることとなる。このような手の平の部分と手の甲の部分との２枚のプラスチック製の手形は、実際の手の形がそうであるように完全に同じ輪郭のものではない。
【００７２】
従って、手の平の部分と手の甲の部分との２枚のプラスチック製の手形は、厳密には輪郭作成用シート１に描かれた輪郭線に完全に合致させるように裁断して形成されているわけではなく、ヒトの手の立体的な形状を考慮しつつ、革手袋製作職人の経験等に基づいてラインの若干の修正、変更を行いつつ裁断がなされることになる。
【００７３】
この場合、手袋製作の専門職人にとっては、ヒトの手の立体的な形状、ラインはある程度予測ができる場合もあるが、そのラインや手の厚みに個人差があることはいうまでもない。
【００７４】
そこで、上記のようにデータシート３に表示された顧客の手のひら回りのサイズが、その顧客の手の立体的な形状、厚み等を予測する上での有力な情報となる。すなわち、上述のように、人差指の付け根と親指の付け根との中間点Ａと小指の付け根と手首の付け根との中間点Ｂを通過する手の周囲の寸法を測定することで、指を除く手の中心部分である手の平から手の甲に至る周囲の部分、つまり手のひら回りのサイズが特定されるので、手袋製作者にとってその顧客の手の立体的な形状、厚み等を予測することが容易となる。
【００７５】
この場合、データシート３に顧客自身によって記入された手の甲の厚さや指の太さ等も補填的に活用されることとなる。また、顧客が現在使用している手袋サイズ等も参考に供されることとなる。
【００７６】
以上のようにして、手の平の部分と手の甲の部分との２種類のプラスチック製の手形が製作されることとなる。
【００７７】
そして、このようにして製作された２種類のプラスチック製の手形に基づいて手袋となる手の平の部分と手の甲の部分とがそれぞれ製作されることとなる。具体的には、手袋を構成する革素材のシートを準備し、その革素材のシート上に上記プラスチック製の手形を載置し、載置されたプラスチック製の手形の輪郭に沿って革素材のシートを裁断する。
【００７８】
このようにして、２種類のプラスチック製の手形の形状に合致した革素材の手形、つまり革素材の手の平の部分と手の甲の部分とがそれぞれ形成されることとなり、その手の平の部分と手の甲の部分との２枚の革素材の側縁を縫製することによって、ゴルフ用革手袋の製作が完成することとなる。
【００７９】
このようにして製作されたゴルフ用革手袋は、上述のような手の平と甲の２枚のプラスチック製手形に基づいて製作された２枚の革素材を縫製して製作され、さらにその２枚のプラスチック製手形は、上述のように送信者である業者から受信者である顧客に郵送され、受信者において上述のように輪郭作成用シート１及びデータシート３に表示、記入された情報に基づいて製作されたものであるため、受信者である顧客の手にフィットする手袋が提供されることとなる。
【００８０】
尚、手袋製作用の手形として、本実施形態ではプラスチック製の手形を用いたが、材質はこれに限定されるものではない。すなわち、厚紙、ベニヤ板など様々な材質のものが使用できる。要は、この手形を用いて革を裁断するための型として機能すれば良いのである。
【００８１】
すなわち、このように業者と顧客との送受信で伝達された情報、すなわち顧客の手の輪郭線と、その手の輪郭線の指先及び指又における計９箇所の中心部分特定線と、人差指の付け根と親指の付け根との中間点Ａと小指の付け根と手首の付け根との中間点Ｂを通過する手の周囲の寸法との３つの主要な情報に基づいて手袋が製作されているので、顧客の手の輪郭と手袋の輪郭とにほとんど位置ずれがなく、製作された手袋が顧客の手に非常に良くフィットしているのである。
【００８２】
従って、このようにして製作された手袋を着用してゴルフを行う場合、手袋が手にフィットしているので、たとえば汎用されるウッドクラブやアイアンクラブをスウィングする前のグリップを行う場合に、クラブのグリップ部分と手との一体感が好適に生じ、この結果、その後のテークバックからフォロースルーに至る一連の動作もスムーズに行えることとなる。
【００８３】
一方、パタークラブを使用する場合においても、手袋が手にフィットしているのでクラブのグリップ部分と手とに一体感が生じることは、他のクラブの場合と同様であり、しかも手袋が手にフィットしている結果、あたかもパタークラブのグリップ部分を手で直接握持しているような感触が得られ、この結果、パターをプレーする際の打球の強さやコースの微妙な変化も感知し易いことになる。
【００８４】
（実施形態２）
本実施形態では、図７に示すように、左手の輪郭線５のみならず、右手の輪郭線５も輪郭作成用シート１に表示されており、この点で左手の輪郭線５のみが表示されている上記実施形態１の場合と相違する。
【００８５】
ゴルフ用手袋の場合は、上述のように通常は左手のみに着用されるので、上記実施形態１のように左手の輪郭線５のみに基づいて手袋を製作することで、上述のように手にフィットしたゴルフ用手袋を製作する目的に十分合致するが、ゴルフ用以外の手袋は通常両手に着用されるので、本実施形態のように左右両手の輪郭線が表示されていることが望ましい。
【００８６】
また、本実施形態では、手の３箇所の採寸を行うことが説明書きとして表示され、その説明書用の輪郭線６が表示されている。そして、手の輪郭線６に沿って採寸される３箇所の寸法Ａ、Ｂ、Ｃの箇所を示すライン４５、４６、４７と、そのＡ、Ｂ、Ｃの寸法を記入する記入欄４８、４９、５０とが表示されている。
【００８７】
ちなみに、Ａは、上記実施形態１のＡＢ間の寸法と同じ、すなわち人差指の付け根と親指の付け根との中間点Ａと小指の付け根と手首の付け根との中間点Ｂを通過する手の周囲の寸法（手のひら回りのサイズ）である。またＢは、４本の指の付け根、より詳しくは、人差指の付け根と小指の付け根を通過する手の周囲の寸法である。さらにＣは、中指の第２関節と第３関節間の中間部における中指の周囲の寸法である。
【００８８】
このように、本実施形態では、Ａ、Ｂ、Ｃの３箇所の寸法を測定することで、手によりフィットし易い手袋を製作することができるのである。品番記入欄１０や顧客管理番号記入欄１１が設けられている点は、上記実施形態１と同じである。
【００８９】
尚、図示しないが、本実施形態においても、輪郭作成用シート１の他に、説明書きシート２、データシート３、及びメジャー添付シート４がシートセットの構成要素として用いられている。
【００９０】
説明書きシート２には採寸の方法は記載されておらず、この点で実施形態１と相違するが、輪郭線記載方法説明表示部が設けられている点では実施形態１と同様である。すなわち、輪郭線の表示方法とともに、５本の指の指先の中心部分と、それらの指先間の４箇所の指又の中心部分とが特定できるように、水平線と垂直線とからなる中心部分特定線が表示されている。
【００９１】
またデータシート３の表示事項も実施形態１とほぼ同様であるが、本実施形態では、採寸された手の所定部分の寸法が輪郭作成用シート１に記入可能であるので、データシート３においてその記入を省略することもできる。
【００９２】
（その他の実施形態）
尚、上記各実施形態では、輪郭作成用シート１、説明書きシート２、データシート３、及びメジャー添付シート４の計４枚のシートの組み合わせでシートセットが構成されていたが、これらの４種類のシートがすべて本発明に必須のものではない。
【００９３】
たとえば、メジャー添付シート４等はなくてもよく、一般のメジャーを用いることも可能である。ただし、上記実施形態のように業者と顧客間でシートセットが送受信される場合には、受信した顧客が採寸を行うためのメジャーを別途準備し、或いは探索する必要がないため、手袋の注文を受注することが目的の業者にとっては、顧客に負担をかけない分、好都合である。
【００９４】
またメジャー添付シート４として構成されているとはいえ、紙の一部でメジャーを構成しているので、業者にも多大なコストがかかることもなく、紙という柔軟な素材の一部を切り取って用いるので、目的とする箇所の採寸には十分活用することができる。
【００９５】
さらに、上記輪郭線が表示されている輪郭作成用シート１と、指先の位置及び各指間の指又の位置を特定するために該指先の位置及び各指間の指又の位置にそれぞれ水平線及び垂直線を付すことを説明書きとして表示した説明書きシート２との２種のシートのみでシートセットを構成することも可能である。この場合、データシート３に記入されるデータは、輪郭作成用シート１や説明書きシート２に記入されていてもよく、その場合には結果的にデータシートが輪郭作成用シート１や説明書きシート２と兼用されることとなるのである。
【００９６】
また、上記輪郭線が表示されている輪郭作成用シート１と、人差指の付け根と親指の付け根の中間点と小指の付け根と手首の付け根の中間点を通過する手の周囲の距離を採寸することを説明書きとして表示した説明書きシート２との２種のシートのみでシートセットを構成することも可能である。この場合もデータを輪郭作成用シート１や説明書きシート２に記入することできる。
【００９７】
さらに、別の例として、人差指の付け根と親指の付け根の中間点と小指の付け根と手首の付け根の中間点を通過する手の周囲の距離を採寸すること、及び指先の位置及び各指間の指又の位置を特定するために該指先の位置及び各指間の指又の位置にそれぞれ水平線及び垂直線を付すことを説明書きとして表示した説明書きシート２と、採寸された寸法を記入したデータシート３のみでシートセットを構成することも可能である。この場合には顧客の輪郭線が描かれないこととなるが、上記のように、人差指の付け根と親指の付け根の中間点と小指の付け根と手首の付け根の中間点を通過する手の周囲の距離を採寸すること、及び指先及び指又の位置を特定することという重要な２つの情報を利用することで、たとえ輪郭線が描かれていなくとも、手袋着用者の手の形状やサイズをおよそ特定することが可能となるのである。
【００９８】
さらに、説明書きシート２とデータシート３とは、上記実施形態では別々の用紙で構成されていたが、すでに述べたように、説明書きシート２及びデータシート３に表示される情報を、１枚の用紙の表裏面に表示することも可能である。
【００９９】
また、輪郭作成用シート１は、ある程度の大きさの手の輪郭線を描くものであるとともに、説明書きシート２に表示された輪郭線の記載方法等の説明に基づいて描かれることから、本来は説明書きシート２とは別のシートで構成されていることが望ましいが、１枚のシートの表裏面に表示されることを妨げるものではない。
【０１００】
いずれにしても、本発明においては、上述のような特徴的な情報が適宜組み合わせてシートセットが構成されていればよく、本発明に本質的に必要な特徴的な情報が表示されていれば、１枚のシートにすべての情報が表示されていてもよく、このような１枚のシートにすべての情報が表示されたものも、本願発明のシートセットに含む趣旨である。
【０１０１】
さらに、上記実施形態では、指先の最先端部と指又の最深部のそれぞれの中心部分を特定するために、指先の円弧に対して正確に接線を描くように水平線を形成し、その水平線に対して直交するように垂直線を描き、これら指先の位置及び指又の位置にそれぞれ付された水平線及び垂直線によって、中心部分特定線を形成したが、中心部分特定線を形成する手段は該実施形態に限定されるものではなく、他の手段によって中心部分特定線を形成することも可能である。
ただし、上記のように指先の円弧に対して接線を描くような水平線と、それに直交する垂直線を用いれば、指先の最先端部と指又の最深部を比較的容易に特定することができ、中心部分特定線を容易に形成することができる利点がある。
【０１０２】
また、上記実施形態では、人差指の親指側の付け根と親指の人差指側の付け根との中間点を中間点Ａとし、この中間点Ａと上記中間点Ｂを通過する手の周囲を採寸することで、手のひら回りのサイズを測定することも可能である。
要は、人差指の付け根と親指の付け根の中間点及び小指の付け根と手首の付け根の中間点を通過する手の周囲の距離を採寸して手のひら回りのサイズを測定されればよい。
ただし、上記実施形態のように、人差指の親指側の付け根と親指の人差指側の付け根との中間点を一方の通過点とすることで、一層手にフィットする手袋を製作することができるという効果がある。
【０１０３】
さらに、上記実施形態では、各シートが紙で構成されていたが、シートの材質は紙に限定されるものではなく、合成樹脂等の他の素材のものを使用することも可能である。
【０１０４】
ただし、業者や顧客等の送受信者間で送受信する際の便宜や、コスト面を考慮すると、上記実施形態のように紙で構成することが最も好ましい。
【０１０５】
さらに、上記実施形態では、シートセットを業者と顧客間で送受信する場合について説明したが、このような業者と顧客間での送受信を前提としないような用途、たとえば個人的に使用するような場合に用いることも可能である。
【０１０６】
尚、本発明は、上述のようにゴルフ用手袋を製作するために用いることを主眼とするものであるが、ゴルフ用手袋以外の手袋、たとえばボーリング、野球、射撃、弓道等のスポーツ用の手袋の製作のために用いることも可能であり、さらにはスポーツ用の手袋以外の一般の手袋に用いることも可能である。
【０１０７】
【発明の効果】
以上のように、本発明においては、指先の位置及び各指間の指又の位置を特定するために該指先の位置及び各指間の指又の位置にそれぞれ水平線及び垂直線を付すこと、及び人差指の付け根と親指の付け根の中間点と小指の付け根と手首の付け根の中間点を通過する手の周囲の距離を採寸すること等の情報を、載置された手の輪郭を描くための輪郭線等と適宜組み合わせて用いることができるので、着用者にフィットした手袋、特にゴルフ用の手袋を提供できるという効果がある。
【０１０８】
この結果、このようにして製作された手袋を着用してゴルフを行う場合、
手袋が手にフィットしているので、汎用されるウッドクラブやアイアンクラブをスウィングする前のグリップを行う場合に、クラブのグリップ部分と手との一体感が好適に生じ、テークバックからフォロースルーに至る一連の動作もスムーズに行えることとなり、またパタークラブを使用する場合においても、手袋が手にフィットしているのであたかもパタークラブのグリップ部分を手で直接握持しているような感触が得られ、この結果、パターをプレーする際の打球の強さやコースの微妙な変化も感知し易いという効果が得られる。
【０１０９】
また、手袋が手にフィットしていると、スウィングのフォームが適切でない場合に、手袋が消耗、破損する確率が高くなるが、このことで逆に手袋の消耗、破損する位置から、使用者のクラブのグリップやフォームを判断し、適切なグリップやフォームに矯正し易くなるという利点がある。
【図面の簡単な説明】
【図１】一実施形態としてのシートセットを構成する輪郭作成用シートの概略平面図。
【図２】説明書きシートの概略平面図。
【図３】説明書きシートの中の採寸方法説明表示部を示す要部概略平面図。
【図４】説明書きシートの中の輪郭線記載方法説明表示部を示す要部概略平面図。
【図５】データシートの概略平面図。
【図６】メジャー添付シートの概略平面図。
【図７】他の実施形態の輪郭作成用シートの概略平面図。
【符号の説明】
１…輪郭作成用シート        ２…説明書きシート
３…データシート            ５…輪郭線
【図１】
2004360111.tif 000003
【図２】
2004360111.tif 000004
【図３】
2004360111.tif 000005
【図４】
2004360111.tif 000006
【図５】
2004360111.tif 000007
【図６】
2004360111.tif 000008
【図７】
2004360111.tif 000009